(57)【特許請求の範囲】
【請求項１】
扉裏面に固着され、折り曲げ部を左右に有する樹脂製の基部と、複数の包丁差し込み口が形成され、前記基部に着脱自在に取着される包丁受け部と、水受け部をもち、前記包丁受け部の下方を覆うごとく位置するとともに、包丁受け部とは別個に前記基部に着脱自在に取着されるカバー体とを具備し、前記基部における左右の折り曲げ部のそれぞれの上下には樹脂のバネ性を利用したものであって、かつこの折り曲げ部外面よりも側方へ突出する係止部をそれぞれ切り欠き形成し、包丁受け部には前記左右上部の係止部に嵌合する嵌合孔を、カバー体には左右下部の係止部に嵌合する嵌合孔をそれぞれ設け、さらに左右上部の係止部は下方向へ高くなる傾斜を、左右下部の係止部は上方向へ高くなる傾斜をそれぞれ形成した包丁収納装置。
【発明の詳細な説明】
【０００１】
【発明の属する技術分野】
本発明は、包丁収納装置で特にキッチンの扉の裏面に取り付けて使用する包丁収納装置に関するものである。
【０００２】
【従来の技術】
従来この種の包丁収納装置は、図７に記載されているようなものが一般的であった。すなわちこの種の包丁収納装置は、上部に包丁差し込み口１を設けた包丁収納ケース２をキッチンの扉３の裏面に木ねじ４で取り付けてなるものであった。
【０００３】
【発明が解決しようとする課題】
しかしながら、従来の包丁納装置は包丁収納ケース１をキッチンの扉３の裏面に木ねじ２で固着しており、使用者が包丁収納ケース内部の清掃のために取り外そうとしても容易に取り外して清掃することができないので、包丁収納ケースの表面を拭くだけにとどまり、内部の清掃までは出来なかった。
【０００４】
【課題を解決するための手段】
本発明は上記課題を解決するために、扉裏面に固着され、折り曲げ部を左右に有する樹脂製の基部と、複数の包丁差し込み口が形成され、前記基部に着脱自在に取着される包丁受け部と、水受け部をもち、前記包丁受け部の下方を覆うごとく位置するとともに、包丁受け部とは別個に前記基部に着脱自在に取着されるカバー体とを具備し、前記基部における左右の折り曲げ部のそれぞれの上下には樹脂のバネ性を利用したものであって、かつこの折り曲げ部外面よりも側方へ突出する係止部をそれぞれ切り欠き形成し、包丁受け部には前記左右上部の係止部に嵌合する嵌合孔を、カバー体には左右下部の係止部に嵌合する嵌合孔をそれぞれ設け、さらに左右上部の係止部は下方向へ高くなる傾斜を、左右下部の係止部は上方向へ高くなる傾斜をそれぞれ形成したたものである。
【０００５】
上記発明によれば、扉の裏面に固着された基部に包丁受け部およびカバー体をそれぞれ単独で取り外すことが可能となり、必要な箇所を必要に応じて取り外して清掃することができるので、包丁収納装置の表面はもちろん内部まで清潔に保つことができる。
【０００６】
【発明の実施の形態】
本発明の包丁収納装置は、扉裏面に固着され、折り曲げ部を左右に有する樹脂製の基部と、複数の包丁差し込み口が形成され、前記基部に着脱自在に取着される包丁受け部と、水受け部をもち、前記包丁受け部の下方を覆うごとく位置するとともに、包丁受け部とは別個に前記基部に着脱自在に取着されるカバー体とを具備し、前記基部における左右の折り曲げ部のそれぞれの上下には樹脂のバネ性を利用したものであって、かつこの折り曲げ部外面よりも側方へ突出する係止部をそれぞれ切り欠き形成し、包丁受け部には前記左右上部の係止部に嵌合する嵌合孔を、カバー体には左右下部の係止部に嵌合する嵌合孔をそれぞれ設け、さらに左右上部の係止部は下方向へ高くなる傾斜を、左右下部の係止部は上方向へ高くなる傾斜をそれぞれ形成したものである。
【０００７】
そして、基部に設けられている係止部により、包丁受け部とカバー体をそれぞれ個別に着脱自在に取り付けているので、包丁受け部およびカバー体をそれぞれ単独で取り外すことが可能となり、必要な箇所を必要に応じて取り外して清掃することができるので、包丁収納装置の表面はもちろん内部まで清潔に保つことができる。
【０００８】
以下、本発明の実施例について図面を用いて説明する。
【０００９】
（実施例１）
図１は本発明の実施例１の包丁収納装置の外観斜視図である。また図２は包丁収納装置の分解斜視図である。また図３は包丁収納装置の基部への包丁受け部及びカバー体の取り付け構造を示す要部断面図である。
【００１０】
図１〜図３において、５は包丁収納装置の取り付け基部で、左右に折り曲げ部６ａ、６ｂを設け、その折り曲げ部６ａ、６ｂの上部と下部にそれぞれ樹脂によるバネ性を利用した停止部となる係止片７ａ、７ｂと８ａ、８ｂを設け、木ねじ９で厨房装置キャビネット等の扉１０の裏面に取り付けられている。１１は上部に包丁差し込み口１２を設けた包丁受け部で、左右に基部５の係止片７ａ、７ｂに対応する嵌合孔１３ａ、１３ｂ（１３ｂのみ図示せず）を有している。１４はカバー体で、左右に基部５の係止片８ａ、８ｂに対応する嵌合孔１５ａ、１５ｂ（１５ｂのみ図示せず）を有し、また下部には、水受け部１５ｃを有している。
【００１１】
次に動作、作用について説明すると、包丁受け部１１は基部５の上部から下方に向けて差し込むと、包丁受け部１１により内側へ押えつけられた係止片７ａ、７ｂが嵌合孔１３ａ、１３ｂに至って開放され、嵌合孔１３ａ、１３ｂに嵌合する。カバー体１４は基部５の下部から上方に向けて差し込むと、カバー体１４により内側へ押えつけられた係止片８ａ、８ｂが嵌合孔１５ａ、１５ｂに至って開放され、嵌合孔１５ａ、１５ｂに嵌合する。
【００１２】
取り外す場合は、係止片７ａ、７ｂもしくは８ａ、８ｂを包丁受け部１１もしくはカバー体１４の嵌合孔１３ａ、１３ｂもしくは１５ａ、１５ｂの内部まで押すと、係止片７ａ、７ｂもしくは８ａ、８ｂの嵌合がはずれ、包丁受け部１１もしくはカバー体１４を簡単に取り外すことができる。
【００１３】
上記構成により、包丁受け部１１、カバー体１４がそれぞれ独立した係止片で基部５に着脱自在に取り付けられているので、包丁受け部１１が汚れたときは包丁受け部１１をはずし、カバー体１４が汚れたときはカバー体１４をはずし、丸洗いの清掃ができいつまでもきれいに保つことができる。
【００１４】
（実施例２）
図４は本発明の実施例２の包丁収納装置の外観斜視図である。また図５は包丁収納装置の分解斜視図である。また図６は包丁収納装置の基部への包丁受け部及びカバー体の取り付け構造を示す要部断面図である。
【００１５】
図４〜図６において、１６は包丁収納装置の取り付け基部で、左右に折り曲げ部１７ａ、１７ｂを設け、折り曲げ部１７ａ、１７ｂ上部には嵌合孔１８ａ、１８ｂを、下部には樹脂によるバネ性を利用した係止部となる係止片１９ａ、１９ｂを設けており、木ねじ２０により扉２１の裏面に取り付けられている。２２は上部に包丁差し込み口２３を設けた包丁受け部で、左右に基部１６の嵌合孔１８ａ、１８ｂと同様の嵌合孔２４ａ、２４ｂ（２４ｂのみ図示せず）を有している。２５ａ、２５ｂ（２５ｂのみ図示せず）は円筒形状のつまみで、係止部となるものであり、先端に係止部分２６ａ、２６ｂ（２６ｂのみ図示せず）を有している。２７はカバー体で、左右に基部１６の係止片１９ａ、１９ｂに対応する嵌合孔２８ａ、２８ｂ（２８ｂのみ図示せず）を有し、また下部には、水受け部２８ｃを有している。
【００１６】
次に動作、作用について説明すると、包丁受け部２２を基部１６に上方より差し込み、包丁受け部２２の嵌合孔２４ａ、２４ｂと基部１６の嵌合孔１８ａ、１８ｂをそれぞれ合わせ、つまみ２５ａ、２５ｂをそれぞれの嵌合孔に挿入し９０度回転させることにより、係止部分２６ａ、２６ｂが折り曲げ部１７ａ、１７ｂに係止し、包丁受け部２２を基部１６に固定することができる。
【００１７】
包丁受け部１６を取り外す場合は、つまみ２５ａ、２５ｂを取り付け時と逆側に９０度回転させて取り外し、包丁受け部１６を上方に引き上げると簡単に取り外すことができる。
【００１８】
なお、カバー体２７の取り付け及び取り外し方は実施例１と同じであるので省略する。
【００１９】
本実施例による効果は、つまみ１７、１８を使用することにより、より確実でかつ簡単な包丁受け部１６の取り付け及び取り外しが行えることである。
【００２０】
また上記実施例１・２ではカバー体はその下部に水受け部を有することにより、包丁を濡れたまま包丁受け部に入れて収納してもキャビネット庫内に水が落ちることがなく、庫内もしくは庫内の収納物を汚損する恐れがない。
【００２１】
なお、上記実施例１・２では基部を樹脂成型品としたが、係止片にバネ性をもたせられるものならどのような材質でも構わない。
【００２２】
また上記実施例１・２では基部に対する包丁受け部及びカバー体の取付方法を、係止片と嵌合孔によるものと、嵌合孔に対しつまみを挿入して固定するものとの２つを示して説明したが、基部に対して包丁受け部及びカバー体を着脱自在に取り付けられる係止手段であれば上記各実施例に限るものではない。
【００２３】
また、家庭においては各種の包丁を使用することから、それら各種の包丁を目視確認できることが好ましく、カバー体は透明もしくは半透明であることが望ましい。
【００２４】
【発明の効果】
以上のように本発明によれば、扉の裏面に固着された基部に設けられている係止部により、包丁受け部とカバー体をそれぞれ個別に着脱自在に取り付けているので、包丁受け部およびカバー体をそれぞれ単独で取り外すことが可能となり、必要な箇所を必要に応じて取り外して清掃（丸洗い）することができるので、包丁収納装置の表面はもちろん内部まで清潔に保つことができるものである。
【図面の簡単な説明】
【図１】  本発明の実施例１における包丁収納装置の外観斜視図
【図２】  同実施例１における包丁収納装置の分解斜視図
【図３】  同実施例１における包丁収納装置の基部への包丁受け部及びカバー体の取り付け構造を示す要部断面図
【図４】  本発明の実施例２における包丁収納装置の外観斜視図
【図５】  同実施例２における包丁収納装置の分解斜視図
【図６】  同実施例２における包丁収納装置の基部への包丁受け部及びカバー体の取り付け構造を示す要部断面図
【図７】  従来の収納装置の外観斜視図
【符号の説明】
５、１６  基部
１０  扉
１１、２２  包丁受け部
１２、２３  包丁差し込み口
１４、２７  カバー体
７ａ、７ｂ、８ａ、８ｂ  係止片（係止部）
１９ａ、１９ｂ  係止片（係止部）
２５ａ、２５ｂ  係止部片（係止部）
【図１】
0003849222.tif 000002
【図２】
0003849222.tif 000003
【図３】
0003849222.tif 000004
【図４】
0003849222.tif 000005
【図５】
0003849222.tif 000006
【図６】
0003849222.tif 000007
【図７】
0003849222.tif 000008